(57)【要約】      （修正有）【課題】構造が簡単で低コストであり、輸送中のノズルヘッドが回転して誤って開くことを防止することができる乳状液用ポンプを提供する。【解決手段】乳状液用ポンプはポンプ本体１を備え、ポンプ本体にポンプ室が設けられ、ポンプ本体に、ポンプ本体を容器本体に固定するためのキャップ３が接続され、ポンプ室に、容器本体内部の乳状液体を引き出すための吸引アセンブリが設けられ、吸引アセンブリの上端部に、乳状液体を排出するためのノズルヘッド６が接続され、ノズルヘッドに連結リング７が設けられ、ポンプ本体の上端部に、連結リングと回転して接続可能なロック部８が設けられ、ロック部と連結リングとの間に、連結リングがノズルヘッドを連動して誤って開くことを防止する滑り止め構造が設けられる。【選択図】図２
0003232896.tif 000002
【実用新案登録請求の範囲】
【請求項１】
乳状液用ポンプであって、容器本体内に延びるポンプ本体（１）を備え、前記ポンプ本体（１）はポンプ室（２）を設け、前記ポンプ本体（１）に、前記ポンプ本体（１）を容器本体に固定するためのキャップ（３）が接続され、前記ポンプ室（２）に、前記ポンプ室（２）の内部で上下移動可能なことで、容器本体内部の乳状液体を引き出すための吸引アセンブリ（４）が設けられ、前記ポンプ室（２）の下端部には、吸引アセンブリ（４）が動作中に容器本体内部の乳状液体が上方にのみ排出されるための逆止弁（５）が設けられ、前記吸引アセンブリ（４）の上端部に、乳状液体を排出するためのノズルヘッド（６）が接続され、前記ノズルヘッド（６）に連結リング（７）が設けられ、前記ポンプ本体（１）の上端部に、連結リング（７）と回転して接続可能なロック部（８）が設けられ、前記ロック部（８）と連結リング（７）との間に、前記ロック部（８）と連結リング（７）とが連結されるとき、連結リング（７）がノズルヘッド（６）を連動して誤って開くことを防止する滑り止め構造が設けられ、前記滑り止め構造は、ロック部（８）の外周面に設けられる滑り止め歯（９１）を備え、前記連結リング（７）の内壁に弾性曲げ片（９２）が設けられ、前記弾性曲げ片（９２）が滑り止め歯（９１）に当接して連結リング（７）の反回転を抑える、ことを特徴とする乳状液用ポンプ。
【請求項２】
前記滑り止め歯（９１）が６個あり、且つロック部（８）に周設され、前記曲げ片（９２）が２セットあり、各セットの曲げ片（９２）が連結リング（７）に周設され、且つ各曲げ片（９２）が２枚ある、ことを特徴とする請求項１に記載の乳状液用ポンプ。
【請求項３】
前記連結リング（７）の内壁に、複数枚の締め付け片（９３）がさらに設けられ、連結リング（７）とロック部（８）とが接続されると、前記締め付け片（９３）の下端部がロック部（８）に当接する、ことを特徴とする請求項１または請求項２に記載の乳状液用ポンプ。
【請求項４】
前記ポンプ室（２）の下端部がテーパー形状であり、前記逆止弁（５）がポンプ室（２）の下端部に設けられる玉部材である、ことを特徴とする請求項１に記載の乳状液用ポンプ。
【請求項５】
前記ポンプ本体（１）にあり且つ逆止弁（５）の下方に、導液管（１０）が接続される、ことを特徴とする請求項１に記載の乳状液用ポンプ。
【請求項６】
前記吸引アセンブリ（４）は、ノズルヘッド（６）と接続し且つ吐出ステム（４１）を有するポンプロッド（４２）を備え、前記ポンプ室（２）には、ポンプロッド（４２）の外側を嵌合するピストン（４３）が設けられ、前記ピストン（４３）の内壁に段差構造（４４）が設けられ、前記ポンプロッド（４２）に押し付け部材（４５）が設けられ、前記押し付け部材（４５）が一定の距離を下降すると、段差構造（４４）と接触してピストン（４３４）を下方に押し付けて移動させ、前記ポンプロッド（４２）の下部に外側凸部（４６）が設けられ、前記ピストン（４３）の下端部にシールリップ（４７）が設けられ、前記シールリップ（４７）は、ポンプロッド（４２）が下降していない時、外側凸部（４６）と接触して吐出ステム（４１）とポンプ室（２）とを仕切り、前記ポンプ室（２）にあり且つピストン（４３）の上方に固定部材（４８）が設けられ、ポンプロッド（４２）が前記固定部材（４８）の内部で上下摺動可能であり、前記固定部材（４８）とノズルヘッド（６）との間にリターンスプリング（４９）が設けられ、前記リターンスプリング（４９）は、連結リング（７）とロック部（８）とが接続されていない状態で、外側凸部（４６）とシールリップ（４７）とが接触して密封する、ことを特徴とする請求項１に記載の乳状液用ポンプ。
【請求項７】
前記ロック部（８）は蓋部（８１）を備え、前記蓋部（８１）に円筒状筒体（８２）が設けられ、前記筒体（８２）がポンプ室（２）内に挿入し、前記固定部材（４８）が筒体（８２）下端部に設けられ、前記筒体（８２）の外側に、ポンプ本体（１）に螺合して接続される環状部材（８３）が設けられ、前記環状部材（８３）と筒体（８２）との間に、ポンプ本体（１）を入れ置くための入置溝（８４）が設けられ、前記環状部材（８３）の外側に外周リング（８５）が設けられ、前記外周リング（８５）とノズルヘッド（６）における連結リング（７）とが接続され、前記外周リング（８５）と、環状部材（８３）と、筒体（８２）と、固定部材（４８）と、蓋部（８１）とが一体化にしてブロー成形された一体構造である、ことを特徴とする請求項６に記載の乳状液用ポンプ。
【請求項８】
前記ノズルヘッド（６）にガイド筒（１１）が設けられ、前記ガイド筒（１１）は連結リング（７）の内側に位置され且つ筒体（８２）内部に挿入し、前記ポンプロッド（１）がガイド筒（１１）内に挿入し且つノズルヘッド（６）と接続され、前記筒体（８２）の上端の開口縁部が内側に延伸して延長部（８６）を形成し、前記延長部（８６）とガイド筒（１１）の外壁が密接する、ことを特徴とする請求項７に記載の乳状液用ポンプ。
【請求項９】
前記ガイド筒（１１）の下端部がテーパー形状であり、前記滑り止め歯（９１）がラチェット歯である、ことを特徴とする請求項８に記載の乳状液用ポンプ。
【考案の詳細な説明】
【技術分野】
【０００１】
本考案は、乳状液用ポンプに関するものである。
【背景技術】
【０００２】
乳状液用ポンプは、精巧な設計および利便性により、日用化学製品および製薬業界で広く使用されているが、既存の乳状液用ポンプは以下の欠点がある。（１）、既存の乳状液用ポンプのノズルヘッドはすべり止機能がなく、輸送中の製品の衝突または振動により、ノズルヘッドが回転し、簡単に誤って開いてしまい、容器本体内部の液体が漏れる場合がある。（２）、従来の乳状液用ポンプの吸引アセンブリにおけるリターンスプリングは、ポンプ室内で乳状液体に直接接触しており、リターンスプリングが錆びると、液体が汚染され、不衛生になる場合がある。（３）、既存の乳状液用ポンプのノズルヘッドが回転して開いた後、空気や水などの不純物がノズルヘッドとポンプ本体との間にある隙間からポンプ室内に入り、乳状液体を汚染し、不衛生や環境に優しくないという問題がある。（４）、既存の乳状液用ポンプの構造は複雑且つ高コストという問題がある。
【０００３】
本考案は、このような欠点に鑑みてなされたものである。
【考案の概要】
【考案が解決しようとする課題】
【０００４】
本考案は、従来技術の欠点を解決し、構造簡単、低コスト、且つ運搬中に湾曲ノズルヘッドが回転して誤って開くのを防ぐことができる、乳状液用ポンプを提供することを目的とする。
【課題を解決するための手段】
【０００５】
以下、本考案が実現される種々の実施形態を例示する。
【０００６】
乳状液用ポンプであって、容器本体内に延びるポンプ本体１を備え、前記ポンプ本体１はポンプ室２を設け、前記ポンプ本体１に、前記ポンプ本体１を容器本体に固定するためのキャップ３が接続され、前記ポンプ室２に、前記ポンプ室２の内部で上下移動可能なことで、容器本体内部の乳状液体を引き出すための吸引アセンブリ４が設けられ、前記ポンプ室２の下端部には、吸引アセンブリ４が動作中に、容器本体内部の乳状液体が上方にのみ排出されるための逆止弁５が設けられ、前記吸引アセンブリ４の上端部に、乳状液体を排出するためのノズルヘッド６が接続され、前記ノズルヘッド６に連結リング７が設けられ、前記ポンプ本体１の上端部に、連結リング７と回転して接続可能なロック部８が設けられ、前記ロック部８と連結リング７との間に、前記ロック部８と連結リング７とが連結されるとき、連結リング７がノズルヘッド６を連動して誤って開くことを防止する滑り止め構造が設けられる、ことを特徴とする乳状液用ポンプ。
【０００７】
上述した前記乳状液用ポンプであって、前記滑り止め構造は、ロック部８の外周面に設けられる滑り止め歯９１を備え、前記連結リング７の内壁に弾性曲げ片９２が設けられ、前記弾性曲げ片９２が滑り止め歯９１に当接して連結リング７の回転を抑える、ことを特徴とする乳状液用ポンプ。
【０００８】
上述した前記乳状液用ポンプであって、前記滑り止め歯９１が６個あり、且つロック部８に周設され、前記曲げ片９２が２セットあり、各セットの曲げ片９２が連結リング７に周設され、且つ各曲げ片９２が２枚ある、ことを特徴とする乳状液用ポンプ。
【０００９】
上述した前記乳状液用ポンプであって、前記連結リング７の内壁に、複数枚の締め付け片９３がさらに設けられ、連結リング７とロック部８とが接続されると、前記締め付け片９３の下端部がロック部８に当接する、ことを特徴とする乳状液用ポンプ。
【００１０】
上述した前記乳状液用ポンプであって、前記ポンプ室２の下端部がテーパー形状であり、前記逆止弁５がポンプ室２の下端部に設けられる玉部材である、ことを特徴とする乳状液用ポンプ。
【００１１】
上述した前記乳状液用ポンプであって、前記ポンプ本体１にあり且つ逆止弁５の下方に、導液管１０が接続される、ことを特徴とする乳状液用ポンプ。
【００１２】
上述した前記乳状液用ポンプであって、前記吸引アセンブリ４は、ノズルヘッド６と接続し且つ吐出ステム４１を有するポンプロッド４２を備え、前記ポンプ室２には、ポンプロッド４２の外側を嵌合するピストン４３が設けられ、前記ピストン４３の内壁に段差構造４４が設けられ、前記ポンプロッド４２に押し付け部材４５が設けられ、前記押し付け部材４５が一定の距離を下降すると、段差構造４４と接触してピストン４３４を下方に押し付けて移動させ、前記ポンプロッド４２の下部に外側凸部４６が設けられ、前記ピストン４３の下端部にシールリップ４７が設けられ、前記シールリップ４７は、ポンプロッド４２が下降していない時、外側凸部４６と接触して吐出ステム４１とポンプ室２とを仕切り、前記ポンプ室２にあり且つピストン４３の上方に固定部材４８が設けられ、ポンプロッド４２が前記固定部材４８の内部で上下摺動可能であり、前記固定部材４８とノズルヘッド６との間にリターンスプリング４９が設けられ、前記リターンスプリング４９は、連結リング７とロック部８とが接続されていない状態で、外側凸部４６とシールリップ４７とが接触して密封する、ことを特徴とする乳状液用ポンプ。
【００１３】
上述した前記乳状液用ポンプであって、前記ロック部８は蓋部８１を備え、前記蓋部８１に円筒状筒体８２が設けられ、前記筒体８２がポンプ室２内に挿入し、前記固定部材４８が筒体８２下端部に設けられ、前記筒体８２の外側に、ポンプ本体１に螺合して接続される環状部材８３が設けられ、前記環状部材８３と筒体８２との間に、ポンプ本体１を入れ置くための入置溝８４が設けられ、前記環状部材８３の外側に外周リング８５が設けられ、前記外周リング８５とノズルヘッド６における連結リング７とが接続され、前記外周リング８５と、環状部材８３と、筒体８２と、固定部材４８）、蓋部８１とが一体化にしてブロー成形された一体構造である、ことを特徴とする乳状液用ポンプ。
【００１４】
上述した前記乳状液用ポンプであって、前記ノズルヘッド６にガイド筒１１が設けられ、前記ガイド筒１１は連結リング７の内側に位置され且つ筒体８２内部に挿入し、前記ポンプロッド１がガイド筒１１内に挿入し且つノズルヘッド６と接続され、前記筒体８２の上端の開口縁部が内側に延伸して延長部（８６）を形成し、前記延長部８６とガイド筒１１の外壁が密接する、ことを特徴とする乳状液用ポンプ。
【００１５】
上述した前記乳状液用ポンプであって、前記ガイド筒１１の下端部がテーパー形状であり、前記滑り止め歯９１がラチェット歯である、ことを特徴とする乳状液用ポンプ。
【考案の効果】
【００１６】
本考案は、従来技術と比較して、以下の利点を得られている。
【００１７】
（１）本考案のロック部と連結リングとの間に、滑り止め構造が設けられ、前記滑り止め構造は、ロック部と連結リングとが接続された時、連結リングがノズルヘッドを連動することで、誤って回転して開くのを防止することができる。乳状液用ポンプが乳状液体を充填した容器本体に取り付けられた場合、輸送中の製品が振動または衝突を受けても、滑り止め構造により、連結リングとロック部との相対運動を抑え、ノズルヘッドの回転による誤って開くことを防止することができ、乳状液体の漏れを回避し、製品の品質が向上することができる。
【００１８】
（２）本考案の滑り止め構造は、ロック部の外周面に設けられた滑り止め歯を備え、連結リングの内壁に、滑り止め歯と当接して連結リングの回転を防止することができる弾性曲げ片が設けられている。連結リングとロック部とが時計回りに回転して接続されると、滑り止め歯が曲げ片と接触して曲げ片を押し付けることで、曲げ片が変形する。連結リングが所要の位置まで回転すると、曲げ片が弾性復元し、曲げ片の端部が滑り止め歯に当接する。この時、乳状液体が充填された容器本体が輸送中に振動または衝突を受けても、滑り止め歯が曲げ片に当接されているので、連結リングの反時計回りの回転を抑えることができる。連結リングがノズルヘッドに設けられているので、ノズルヘッドは反時計回りに回転して開くことができず、ノズルヘッドの誤って開くことによる漏れを防止することができる。使用者がノズルヘッドを開く必要がある時、手で大きな力を加えてノズルヘッドを回して、連結リングを連動することで、曲げ片が大きな力を受けて破損される。曲げ片が破損されると、ノズルヘッドを容易に回転させて開くことができる。これによって、曲げ片は、製品が輸送中のノズルヘッドが誤って開かれることを防止することだけではなく、曲げ片が破損された後、不法者が容器本体内部の乳状液体を交換して詰め替えることができなくなり、偽造防止の役割も果たしている。
【００１９】
（３）本考案のリターンスプリングは、固定部材とノズルヘッドとの間に、且つ、ピストンの上方に設けられているので、ポンプロッドが上下移動して乳状液体をピストンの下方にあるポンプ室の空間に吸い込むと、乳状液体がリターンスプリングに付着しない。これによって、本考案の乳状液用ポンプの構造は、リターンスプリングと乳状液体とを完全に分割することができ、衛生を確保し、乳状液体の汚染を引き起こさない。
【００２０】
（４）本考案ロック部の筒体の上端開口の縁部は、内側に延伸して延長部が形成され、延長部とノズルヘッドにおけるガイド筒の外壁とが密接することができる。これによって、ノズルヘッドを押し付けてガイド筒を昇降させる時、ガイド筒が筒体における延長部と密接されており、水や他の不純物とがポンプ室内に入ることを防止し、汚染を防ぐことができる。
【００２１】
（５）本考案は、簡単な構造および低コストという利点がある。ノズルヘッドとロック部でロックまたはアンロックされているかどうかに関わらず、液体の漏れ、乳状液体の汚染を防ぎ、衛生を確保することができ、普及と用途に適する。
【図面の簡単な説明】
【００２２】
【図１】連結リングとロック部とが接続された時の本考案の斜視図である。
【図２】連結リングとロック部とが接続されていない時の本考案の斜視図である。
【図３】ノズルヘッドが下方に押し付けた状態の本考案の断面図である。
【図４】図３におけるＡ箇所の拡大図である。
【図５】連結リングとロック部とが接続されていない時の本考案の断面図である。
【図６】図５におけるＢ箇所の拡大図である。
【図７】連結リングとロック部とが接続された状態の本考案の断面図である。
【考案を実施するための形態】
【００２３】
以下、図面を参照しながら本考案の実施形態について説明する。
【００２４】
図１、図２、図３、図５および図７に示すように、乳状液用ポンプは、容器本体内部に延びるポンプ本体１を備える。前記ポンプ本体１はポンプ室２を設けている。前記ポンプ本体１には、容器本体に固定するためのキャップ３が接続されている。前記ポンプ室２には、前記ポンプ室２の内部で上下移動可能なことにより容器本体内の乳状液体を引き出すことができる吸引アセンブリ４を設ける。前記ポンプ室２の下端部に、吸引アセンブリ４が動作中に容器本体内の乳状液体を上方のみに排出するための逆止弁５が設けられている。前記吸引アセンブリ４の上端部に乳状液体を排出するためのノズルヘッド６が設けられ、前記ノズルヘッド６に連結リング７が設けられ、前記ポンプ本体１の上端部には、連結リング７と回転して接続可能なロック部８が設けられている。ロック部８に、雌ねじが設けられ、連結リング７の内壁に、前記雌ねじに螺合する雌ねじが設けられている。前記ロック部８と連結リング７との間に滑り止め構造が設けられ、前記滑り止め構造は、両者を連結したときに連結リング７がノズルヘッド６を連動することで誤って回転することを防止できる。容器本体内部に乳状液体が充填され、乳状液用ポンプは、キャップ３によって、容器本体に接続して、化学製品や医薬品などの製品を密封する。製品が輸送されるときに、ノズルヘッド６は連結リング７の回転によってロック部８に接続され、このとき、吸引アセンブリ４がポンプ室２の下部に位置される。連結リング７とロック部８との間に滑り止め構造が設けられることによって、連結リング７とロック部８とをねじ込んだ後、仮に振動または衝突があっても、滑り止め構造は、連結リングとロック部との間の相対回転を防ぐことができ、連結リング７の緩みを回避することができ、ノズルヘッド６の回転による誤って開くのを防ぎ、乳状液体の漏れを防止し、製品の品質を向上させることができる。
【００２５】
図２および図７に示すように、前記滑り止め構造は、ロック部８の外周面に設けられた滑り止め歯９１を備え、前記滑り止め歯９１はラチェット歯であり、前記連結リング７の内壁に、滑り止め歯９１に当接可能かつ連結リング７の回転を防止することができる弾性曲げ片９２が設けられている。連結リング７とロック部８とが時計回りに回転して連結するとき、滑り止め歯９１と曲げ片９２とが接触して曲げ片９２を押すことで、曲げ片９２を変形させる。連結リング７が所望の位置まで回転すると、曲げ片９２が弾性復元し、曲げ片９２の端部が滑り止め歯９１に当接する。このとき、乳状液体が充填された容器本体が輸送中振動または衝突を受けても、滑り止め歯９１が曲げ片９２に当たって連結リング７の反時計回りの回転を防止する。連結リング７がノズルヘッド６に設けられるので、ノズルヘッド６が反時計回りに回転して開くことができない。これによって、ノズルヘッド６の誤って開くことによる漏れを防止することができる。使用者がノズルヘッド６を開く必要があるとき、手で大きな力を加えてノズルヘッド６を回して、連結リング７を連動することで、曲げ片９２は、大きな力を受けて破損される。曲げ片９２が破損されると、ノズルヘッド６を容易に回転させて開くことができる。これによって、曲げ片９２は、製品が輸送中のノズルヘッド６が誤って開かれることを防止することだけではなく、曲げ片９２が破損された後、不法者が容器本体内部の乳状液体を交換して詰め替えることができなくなり、偽造防止の役割も果たしている。
【００２６】
図７に示すように、前記滑り止め歯９１の個数は６個であり、かつロック部８に周設され、前記曲げ片９２が２セットあり、２セットの曲げ片９２が連結リング７に周設され、かつ各セットには曲げ片９２の個数が２枚である。したがって、連結リング７が締められるとき、締付け具合を適切に調整することができる。連結リングは、時計回りまたは反時計回りに角度変位しても、滑り止め歯９１に当接できる曲げ片９２が残っているため、製品の安定性が向上する。
【００２７】
図７に示すように、前記連結リング７の内壁に、複数の締め付け片９３がさらに設けられている。連結リング７とロック部８とが接続されると、前記締め付け片９３の下端部がロック部８に当接する。連結リング７とロック部８とが締め付けられると、締め付け片９３は下方にロック部８を押し付け、連結リング７の緩みをさらに防止することができる。
【００２８】
図３および図５に示すように、前記ポンプ室２の下端部はテーパー状であり、前記逆止弁５は、ポンプ室２の下端部に設けられる玉部材である。
【００２９】
図１および図３に示すように、前記ポンプ本体１の上方、かつ逆止弁５の下方に、導液管１０が接続されている。
【００３０】
図３〜図６に示すように、前記吸引アセンブリ４は、ノズルヘッド６と接続され且つ吐出ステム４１を有するポンプロッド４２を備えている。前記ポンプ室２に、ポンプロッド４２の外側を嵌合するピストン４３が設けられ、ピストン４３は、ポンプ室２を２つの空間に分割している。前記ピストン４３の内壁には、段差構造４４が設けられ、前記ポンプロッド４２には、押し付け部材４５が設けられ、前記押し付け部材４５が下方に一定の距離を下げると、段差構造４４と接触してピストン４３を下方に押し付けて移動させることができる。前記ポンプロッド４２の下方に、外側凸部４６が設けられ、前記ピストン４３の下端部には、シールリップ４７が設けられ、前記シールリップ４７は、ポンプロッド４２が下降していない時に、外側凸部４６と接触して吐出ステム４１とポンプ室２とを仕切ることができる。前記ポンプ室２の内部且つピストン４３の上方には固定部材４８が設けられ、ポンプロッド４２が固定部材４８の内部で上下摺動可能である。前記固定部材４８とノズルヘッド６との間に、連結リング７とロック部８とが接続されていない状態で、外側凸部４６とシールリップ４７とが接触して密封するためのリターンスプリング４９が設けられている。図５に示すように、連結リング７とロック部８とが分離すると、リターンスプリング４９がノズルヘッド６を上方に押し付け、この時、ピストン４３におけるシールリップ４７とポンプロッド４２における外側凸部４６とが接触し且つ吐出ステム４１とポンプ室２とを仕切ることができる。液体を抽出する際、下方にノズルヘッド６を押し、ポンプロッド４２が下方に移動することで、リターンスプリング４９が圧縮され、ポンプロッド４２が下降すると、シールリップ４７と外側凸部４６とがすぐに分離される。この際、吐出ステム４１とピストン４２の下方にあるポンプ室の空間とが連通する。ポンプロッド４２が一定の距離を下降すると、ポンプロッド４２における押し付け部材４５がピストン４３の段差構造４４と接触してピストン４３を下方に押し付けて移動させる。ピストン４３の下方への移動により、ピストン４３の下方にあるポンプ室空間内の気体または液体が吐出ステム４１を介して排出されることができる。続いて、押し付けられたノズルヘッド６を放すると、リターンスプリング４９が伸び、ポンプロッド４２が一定の距離を上昇すると、外側凸部４６とシールリップ４７とが接触して、ポンプ室２と吐出ステム４１とを仕切ることができる。ポンプロッド４２がさらに上昇すると、外側凸部４６を介してピストン４３を上昇させ、この時、ピストン４３と逆止弁との間の気圧が容器本体内部の気圧よりも低く、容器本体内部の液体が逆止弁５を押し退けてポンプ室２内部に入る。ノズルヘッド６の押し付けを繰り返すことにより、容器本体内部の乳状液体を排出して使用することができ、操作は簡単且つ迅速である。リターンスプリング４９とポンプ室２内の乳状液体とが接触しておらず、液体を汚染することがなく、衛生的であり、且つ環境に優しい。上述した一定の距離は、理論上０より大きければよく、その目的は、吐出ステム４１とポンプ室２との連通または遮断を制御するために、ポンプロッド４２の下降および上昇に比べて、ピストン４３の下降および上昇を遅延させることである。一般的に、当該距離は、０．５ｍｍ〜２．０ｍｍである（距離の大きさは、液体通路のサイズを決まり、液体の粒子のサイズに応じて選択することができる）。
【００３１】
図３および図５に示すように、前記ロック部８は蓋部８１を備え、前記蓋部８１に、円筒状の筒体８２が設けられ、前記筒体８２がポンプ室２内に延び、前記固定部材４８は筒体８２下端部に設け、前記筒体８２の外側にポンプ本体１と螺接する環状部材８３が設けられ、前記環状部材８３と筒体８２との間にポンプ本体１の上端部を入れ置くための入置溝８４、前記環状部材８３の外側では、外周リング８５が設けられ、前記外周リング８５とノズルヘッド６における連結リング７とが接続され、前記外周リング８５、環状部材８３、筒体８２、固定部材４８および蓋部８１は一体化にしてブロー成形された一体構造である。外周リング８５は、環状部材８３の外側に位置されるので、外周リング８５と連結リング７とが接続されるとき、外周リング８５はある程度変形し、連結リング７と外周リング８５とが接続された後、緩みをさらに防止することができる。また、筒体８２がポンプ室２内部に延びっているため、ロック部８とポンプ本体１とがより安定して接続されることができる。
【００３２】
図５に示すように、前記ノズルヘッド６に、ガイド筒１１が設けられ、前記ガイド筒１１の下端部はテーパー状になっており、前記ガイド筒１１は連結リング７の内側に位置し、且つ、筒体８２に挿入されている。前記ポンプロッド１は、ガイド筒１１内に挿入され、且つノズルヘッド６に接続されている。前記筒体８２の上端部にある開口の縁部が内側に延伸して延長部８６を形成する。前記延長部８６とガイド筒１１の外壁とが密着している。この構造によって、ノズルヘッド６を押し付けてガイド筒１１を昇降させる時、ガイド筒１１は常に筒体８２の延長部８６と密着しており、水または他の不純物がポンプ室２に入り、汚染を防ぐことができる。
【図１】
0003232896.tif 000003
【図２】
0003232896.tif 000004
【図３】
0003232896.tif 000005
【図４】
0003232896.tif 000006
【図５】
0003232896.tif 000007
【図６】
0003232896.tif 000008
【図７】
0003232896.tif 000009